(57)【特許請求の範囲】
【請求項１】
ＩＤタグとの間で電波信号を送受信するための送信アンテナおよび受信アンテナを備えたＩＤタグ用手持式リーダライタにおいて、
本体は、手持ち部とこの手持ち部の一端側に設けられた頭部とを備え、
前記送信アンテナを、径方向に互いに近接して平行に並べられた同一形状、同一巻数の第１および第２のコイルにより構成し、送信時に前記第１および第２のコイルに電流を互に同一方向となるように流す場合と互に逆方向となるように流す場合とに切り換え可能に構成され、
更に、前記送信アンテナは、前記頭部を上向きとしたとき、その頭部に左右に並ぶように設けられていることを特徴とするＩＤタグ用手持式リーダライタ。
【請求項２】
前記受信アンテナは、前記第１および第２のコイルの周りに配設されることを特徴とする請求項１記載のＩＤタグ用手持式リーダライタ。
【請求項３】
前記第１および第２のコイルに電流を互に同一方向となるように流す第１のスイッチと、前記第１および第２のコイルに電流を互に逆方向となるように流す第２のスイッチとを備えることを特徴とする請求項１記載のＩＤタグ用手持式リーダライタ。
【請求項４】
前記第１および第２のコイルに電流を互に同一方向となるように流す場合と互に逆方向となるように流す場合とに自動的に切り換える切換手段を備えることを特徴とする請求項１記載のＩＤタグ用手持式リーダライタ。
【発明の詳細な説明】
【０００１】
【発明の属する技術分野】
本発明は電波によりＩＤタグと通信してデータの授受を行うＩＤタグ用手持式リーダライタに関する。
【０００２】
【発明が解決しようとする課題】
例えば、移動体の識別システムとして、高周波の電波を利用したリモートＩＤシステムがある。これは、コントローラとＩＤタグとの間で電波による通信を行い、離れた位置にあるＩＤタグのデータを読み取ったり、ＩＤタグにデータを書き込んだりするものである。
【０００３】
このようなリモートＩＤシステムは、配送システム、在庫管理システム、販売システムなど種々のシステムに応用することが考えられている。その一例として、例えば回転すし店の集計システムがある。このシステムの概要は、すしを載せる皿に埋め込んたＩＤタグに、すしの種類、作った時刻、売値などのデータを記録して置き、客が食事を終えたとき、食べたすしの皿を一か所に集めてそれら皿のＩＤタグと通信し、そして、ＩＤタグからデータを得て客の支払うべき金額を計算するというものである。
【０００４】
このような集計システムに応用したような場合、ＩＤタグと通信するリーダライタが固定式のものである場合には、その固定式リーダライタの通信エリア内に皿を置いて集計すれば良い。ところが、固定式リーダライタでは、皿をそこまで運んでこなければならないため、不便である。そこで、客が座っているテーブル上で簡易に集計できるようにするために、手持式のリーダライタが考えられている。
【０００５】
手持式リーダライタでは、通常、リーダライタ本体をテーブル上に積み重ねられた皿の上方に保持して送受信の操作を行う。ところが、送受信のための電波はそれ程強くないため、積み重ねられた皿の枚数にもよるが、多数枚重ねられていると、下の方の皿と通信できなくなるという不具合を生ずる。
【０００６】
それならば、リーダライタ本体を積み重ねられている多数枚の皿の中程に保持して送受信すれば良いように思われるが、リーダライタの送信アンテナは１個のコイルから構成されているため、その送信アンテナから放射される磁界はコイルの中央部では直進するため、送信アンテナと垂直に設置されたリーダライタ本体の直ぐ近くの皿と通信することができなくなる。従って、全部の皿と通信するには、リーダライタ本体を積み重ねられている多数枚の皿に沿って上下に移動させなばならず、操作が煩わしいという問題がある。
【０００７】
本発明は上記の事情に鑑みてなされたもので、その目的は、ＩＤタグが付された物が多数あっても、本体を移動させずとも、それらと通信することが可能なＩＤタグ用手持式リーダライタを提供するにある。
【０００８】
【課題を解決するための手段】
請求項１記載の発明は、ＩＤタグとの間で電波信号を送受信するための送信アンテナおよび受信アンテナを備えたＩＤタグ用手持式リーダライタにおいて、前記送信アンテナを径方向に互いに近接して平行に並べられた同一形状、同一巻数の第１および第２のコイルにより構成し、送信時に前記第１および第２のコイルに電流を互に同一方向となるように流す場合と互に逆方向となるように流す場合とに切り換え可能に構成したことを特徴とするものである。
【０００９】
送信アンテナに高周波電流を流して電波を放射する場合、その送信アンテナを構成する第１および第２のコイルに互いに同一方向となるように電流を流すと、磁界強度は、両コイルの近接部分では弱く、その両側では強くなる。また、第１および第２のコイルに互いに逆方向となるように電流を流すと、磁界強度は、両コイルの近接部分で強く、その両側では弱くなる。そこで、回転すし店の集計システムに適用した場合、例えば本体を積み重ねられている多数の皿の中程に保持し、第１および第２のコイルに互いに同一方向となるように電流を流すことによって上下両側部分の皿のＩＤタグと交信し、次いで第１および第２のコイルに電流を互いに逆方向となるように流すことによって中程の皿のＩＤタグと交信する。これにより、本体を動かさずとも、全部の皿と交信することが可能となる。
【００１０】
更に、請求項１記載の発明は、本体は手持ち部とこの手持ち部の一端側に設けられた頭部とを備え、前記送信アンテナは、前記頭部を上向きとしたとき、その頭部に左右に並ぶように設けられていることを特徴とするものである。第１および第２のコイルが上下に位置された状態で電波を放射することによって上記のように全部の皿と交信することができる。一方、本体の手持ち部を手に持って、テーブル上に積み上げられている多数の皿の中程に保持する場合、手持ち部を横にした状態のときが自然で持ち易い。そして、第１および第２のコイルを頭部を手持ち部の一端側に左右に並べて設けておくことにより、手持ち部を横にしたとき、第１および第２のコイルが上下に位置するようになるので、操作し易くなる。
【００１１】
【発明の実施の形態】
以下、本発明の第１実施例を図１ないし図９に基づいて説明する。なお、この実施例は、回転すし店の集計システムに適用したものである。ここで、回転すし店とは、次のようなシステムの店である。
店内にはループ状のコンベアが設けられ、そのコンベアに沿って客席が設けられている。すしは皿に載せられ、コンベアによって客席へと運ばれる。客は、コンベアによって運ばれてくる皿のうちから、好みのすしが載せられている皿を取り、食べ終えた後の皿は順にテーブル上に重ね置いて行く。店側では、すしをその売値に応じた色或いは模様の皿に載せるので、客は、重ね置いた皿と枚数とから店に支払うべきおおよその金額を知ることができるようになっている。食事を終えた後は、店員によって皿の枚数が色或いは模様別に数えられ、店に支払うべき金額が決定される。
【００１２】
さて、図６に示すように、すしを載せる皿１（リードライト対象物）は、例えばメラニン樹脂などのプラスチック製のもので、その内部には、ＩＤタグ２が埋め込まれている。上記ＩＤタグ２は、図７に示すように、電波信号を送受信するためのアンテナ用コイル３と、共振コンデンサ４と、制御用ＩＣ５と、平滑部６とから構成され、共振コンデンサ４、制御用ＩＣ５および平滑部６はプリント配線基板７上に搭載されている。
【００１３】
上記制御用ＩＣ５は、制御部としてのＭＰＵ（マイクロプロセッサユニット）８の他、整流部９、変復調部１０、メモリ部１１などを構成する半導体素子をワンチップ化したものである。また、平滑部６は、図示はしないが平滑コンデンサ、ツェナーダイオードなどを有している。
【００１４】
そして、上記アンテナ用コイル３は、共振コンデンサ４と直列に接続されて共振回路を構成し、外部機器であるリーダライタから所定の高周波数の電力用電波信号が送信されてくると、これを受信して整流部９に送信する。整流部９は、平滑部６と共に動作用電源回路を構成するもので、共振回路から送信されてきた電力用電波信号を整流し、平滑部６により平滑化し且つ一定電圧の直流電力（動作用電力）にしてＭＰＵ８などに供給する。
【００１５】
リーダライタから送信されてくるデータなどの信号は、電力用電波信号に重畳して送信されるようになっており、その信号は、変復調部１０により復調されてＭＰＵ８に与えられる。ＭＰＵ８は、メモリ部１１が有するＲＯＭに記憶された動作プログラムに従って動作するもので、変復調部１０から入力される信号に応じた処理を実行し、受信したデータをメモリ部１１が有するＥＥＰＲＯＭなどの消去可能な不揮発性メモリに書き込んだり、メモリ部１１からデータを読み出して変復調部１０により変調し、アンテナ用コイル３から電波信号として送信したりする。
【００１６】
図１には、皿１のＩＤタグ２と通信する手持式リーダライタの本体１２が示されている。この手持式リーダライタ本体１２は、手持ち部を兼用する操作部１３と、この操作部１３の一端側に設けられた頭部１４から構成されており、頭部１４には例えば液晶からなる表示部１５が設けられている。操作部１３には、例えば複数のキースイッチ１６が設けられ、これらキースイッチ１６により、動作内容を指示したり、集計に必要な基礎的データ、例えば皿１の種類別単価などを入力したりするようになっている。
【００１７】
手持式リーダライタ本体１２は、その電気的構成を示す図２のように、主制御部１７およびリモート制御部１８を備えている。そして、主制御部１７には、前記キースイッチ１６群がスイッチ回路１９を介して接続されていると共に、前記表示部１５および上位装置（例えばパソコン）との間でデータの授受を行う通信部２０などが接続されている。また、リモート制御部１８には、ＩＤタグ２との間で電波信号を送受信するアンテナ部２１、およびブザーなどの発音部２２が接続されている。なお、スイッチ回路１９は、操作されたキースイッチに応じた信号を主制御部１７に送信するものである。
【００１８】
両制御部１８，１９は、図３および図４に示すように、それぞれＭＰＵ２３，２４、動作プログラムを記憶したＲＯＭ２５，２６、データを一時的に記憶するＲＡＭ２７，２８、通信部２９，３０などから構成されており、主制御部１７とリモート制御部１８とは、それぞれの通信部２９，３０を通じてデータの授受を行うようになっている。また、リモート制御部１８は、送信部３１および受信部３２を有しており、それら送信部３１および受信部３２は、アンテナ部２１の送信アンテナ３３および受信アンテナ３４に接続されている。
【００１９】
主制御部１７のＭＰＵ２３は、データを処理したり、周辺機器を制御したりするもので、リモート制御部１８或いはスイッチ回路１９から送られてくる信号に応じた処理を実行すると共に、その実行中の処理内容或いは処理結果などを表示器１４に表示したりするように構成されている。
【００２０】
一方、前記リモート制御部１８のＭＰＵ２４は、ＩＤタグ２との通信を制御すると共に、発音部２２の制御を行うもので、ＩＤタグ２との通信を行う際には、まず、キャリア信号を送信部３１で変調して電力用電波信号として送信アンテナ３３から送信し、その後、送信すべきデータを電力用電波信号に重畳するように送信部３１で変調して送信アンテナ３３から送信する。
【００２１】
ＩＤタグ２から放射された電波信号については、これを受信アンテナ３４により受信し、受信部３２で復調してデータとして弁別する。そして、リモート制御部１８のＭＰＵ２４は、受信部３２で復調されたデータをＲＡＭ２８に一時的に記憶し、その後、そのデータを通信部３０を介して主制御部１７側に送信するようになっている。以上のような電気的構成を有する手持式リーダライタ本体１２は、その動作用電源として電池３５（図２参照）を備えている。
【００２２】
さて、前記送信アンテナ３３は、第１および第２のコイル３６および３７から構成されている。第１および第２のコイル３６および３７は、同一の方向に同一の巻数で同一の大きさおよび形状、この実施例では同一大の矩形状に巻回して構成されている。なお、図では両コイル３６，３７は１回しか巻回されていないように示されているが、実際には多数回巻回されている。これら両コイル３６，３７は、図１に示すように、手持式リーダライタ本体１２の頭部１４内に該頭部１４を上にしたとき、左右に並ぶように配設されており、両コイル３６，３７の一辺部３６ａ，３７ａは互いに近接して平行に並んでいる。また、前記受信アンテナ３４も矩形状に巻回形成されたコイルからなるもので、頭部１４内に上記両コイル３６，３７を囲むようにして配設されている。
【００２３】
そして、前記送信部３１の一方の出力端子は第１コイル３６の一端３６ｂに接続され、他方の出力端子は切換手段としての第１および第２のリレー３８および３９の一方の入力端子に接続され、第１のコイル３５の他端３６ｃは第１および第２のリレー３８および３９の他方の入力端子に接続されている。また、第２のコイル３７の一端３７ｂは両リレー３８，３９の一方の出力端子に接続されていると共に、他端３７ｃは両リレー３８，３９の他方の出力端子に接続されている。一方、受信アンテナ３４の両端は受信部３２の両入力端子に接続されている。
【００２４】
上記第１および第２のリレー３８および３９は半導体素子を用いたスイッチにより構成されている。この第１および第２のリレー３８および３９はＭＰＵ２４により駆動部４０を介して第１および第２の切換状態に制御される。そして、第１の切換状態では、第１のリレー３８は第１のコイル３６の他端３６ｃを第２のコイル３７の一端３７ｂに接続し、第２のリレー３９は第２のコイル３７の他端３７ｃを送信部３１の他方の出力端子に接続する（図４の実線参照）。また、第２の切換状態では、第１のリレー３８は第２のコイル３７の他端３７ｃを送信部３１の他方の出力端子に接続し、第２のリレー３９は第１のコイル３６の他端３６ｃを第２のコイル３７の他端３７ｃに接続する（図４の破線参照）。
【００２５】
第１のコイル３６と第２のコイル３７とは、上記の第１の切換状態では、図５（ａ）に示すように、互いに同方向に電流が流れるように直列接続（以下、順方向接続）され、第２の切換状態では、図５（ｂ）に示すように、互いに逆方向に電流が流れるように直列接続（以下、逆方向接続）される。このため、順方向接続では、電波の放射時に両コイル３６，３７の互いに近接する一辺部３６ａ，３７ａを電流が互いに逆向きに流れるので、当該部分の磁界強度は弱くなり、送信アンテナ３３全体としての磁界強度は中央部で弱く、その両側では強いという状態となる。また、逆方向接続では、両コイル３６，３７の互いに近接する一辺部３６ａ，３７ａを電流が同じ向きに流れるので、当該部分の磁界強度は強くなり、送信アンテナ３３全体としての磁界強度は中央部で強く、その両側では弱いという状態となる。
【００２６】
次に上記構成の作用を図９に示すフローチャートをも参照しながら説明する。食事を済ませた客の支払金額を集計する場合、図８に示すように、手持式リーダライタの本体１２の操作部１３を手に持ち、その本体１２をテーブル上に積まれている皿１群の横の上下方向中央に保持する。このとき、手持式リーダライタとしては、本体１２を横にした場合の姿勢が、操作部１３を持つに楽な姿勢で、この状態では、第１および第２のコイル３６および３７は上下に位置する形態となる。
【００２７】
そして、キースイッチ１６群のうちから読み取りスイッチ（集計用スイッチ）を選択して操作する。すると、主制御部１７のＭＰＵ２３がステップＳ１で「ＹＥＳ」と判断して集計指令をリモート制御部１８に送信する。そして、この集計指令の受信により、リモート制御部１８のＭＰＵ２４がステップＳ２で駆動部４０を介して第１および第２のリレー３８および３９を順方向接続状態となるように切換動作させる。
【００２８】
この後、リモート制御部１８のＭＰＵ２４はキャリア信号を送信部３１で変調して電力用電波信号として送信アンテナ３３から送信し、その後、送信すべきデータを電力用電波信号に重畳するように送信部３１で変調して送信アンテナ３３から送信する。一方、皿１のＩＤタグ２側では、送信された電波信号をアンテナ用コイル３により受け、その電波信号を整流部９および平滑部で整流平滑して一定電力の直流電力に変換し、ＭＰＵ８などの動作用電源として供給する。
【００２９】
動作用電力の供給により、各皿１のＩＤタグ２のＭＰＵ８は動作を開始し、送信されてきた信号の内容に応じた処理、この場合には、メモリ部１１から皿１のＩＤ番号、皿１の種類などのデータを読み出し、これを変復調部１０で変調してアンテナ用コイル３から送信するという動作を行う。各皿１のＩＤタグ２から送信された電波信号は、手持式リーダライタ本体１２の受信アンテナ３４により受信され、その受信信号は受信部３２で復調され、復調されたデータはＲＡＭ２７に記憶される（以上、ステップＳ３および４の繰り返し）。
【００３０】
ここで、今、送信アンテナ３３の第１および第２のコイル３６および３７は順方向接続状態にあるので、送信される磁界強度は送信アンテナ３３の中央部で弱い状態となる。このため、手持式リーダライタ本体１２の直ぐ近くの皿１のＩＤタグ２においては、受信した電波信号強度が弱いため、整流部９および平滑部６で、ＭＰＵ８などの動作に必要な電圧の直流電源を得ることができない。従って、手持式リーダライタ本体１２の直ぐ近くの皿１のＩＤタグ２は電力不足の状態であるから、上記のような動作を行うことはなく、手持式リーダライタ本体１２はその直ぐ近くの皿１のＩＤタグ２と通信することはない。
【００３１】
このようにして順方向接続状態で通信できる全ての皿１のＩＤタグ２からのデータを受信すると、リモート制御部１８のＭＰＵ２４はステップＳ４で「ＹＥＳ」となり、次のステップＳ５で駆動部４０を介して第１および第２のリレー３８および３９を切換動作させて逆方向接続状態とする。この逆方向接続状態では、手持式リーダライタ本体１２から送信される電波の強度は、送信アンテナ３３の中央部で強い状態となる。このため、手持式リーダライタ本体１２の直ぐ近くの皿１のＩＤタグ２が動作し、そこから上下に離れた皿１のＩＤタグ２は電力不足の状態となるから、順方向接続状態では通信できなかった皿１のＩＤタグ２と通信できるようになる。
【００３２】
そして、前述したと同様にして逆方向接続で通信可能な全ての皿１のＩＤタグ２からデータを得ると（ステップＳ６，７の繰り返し）、リモート制御部１８のＭＰＵ２４はステップＳ７で「ＹＥＳ」となり、通信動作を修了する。そして、主制御部１７のＭＰＵ２３はＲＡＭ２７に記憶されている各皿１の種類（値段）およびその数などから客が支払うべき金額を演算する。
【００３３】
ここで、全ての皿１のＩＤタグ２と通信したか否かの判断は、例えば次の通りである。通信可能な状態にある皿１のＩＤタグ２は、手持式リーダライタ本体１２と逐次通信しており、手持式リーダライタ本体１２のＲＡＭ２８には、通信を終えた皿１のＩＤ番号が記憶される。そして、通信する皿１のＩＤ番号が全てＲＡＭ２８に記憶されている状態が所定時間続いたとき、通信可能な状態にある全ての皿１のＩＤタグ２と通信を終了したと判断する。
【００３４】
このように本実施例によれば、送信アンテナ３３を構成する２個のコイル３６，３７を順方向接続と逆方向接続とに切換可能にしたので、手持式リーダライタ本体１２と積み重ねられた多数枚の皿１のＩＤタグ２の全てと通信する場合、手持式リーダライタ本体１２を動かさずとも、真ん中の位置の保持したままでこれを行うことができる。また、本実施例のように、順方向接続と逆方向接続との切り換えが自動的に行われるように構成した場合には、切り換えの手間が省け、操作上便利である。
【００３５】
また、本実施例では、手持式リーダライタ本体１２の両コイル３６，３７を、頭部１４内に該頭部１４を上にしたとき、左右に並ぶように配設したので、操作性に優れたものとすることができる。すなわち、手持式リーダライタ本体１２が積み重ねられた皿１と通信する場合、両コイル３６，３７が上下に並ぶようにならないと、手持式リーダライタ本体１２の上下両側部分の皿１と通信できなくなる。手持式リーダライタの本体１２の操作部１３を手に持って、その本体１２をテーブル上に積まれている皿１群の横の上下方向中央に保持する場合、手持式リーダライタ本体１２を横にして操作部１３を手に持つ形態が楽に操作できる姿勢で、この状態では、第１および第２のコイル３６および３７は上下に位置する形態となり、操作性の良いものとなる。
【００３６】
また、本実施例では、受信アンテナ３４を両コイル３６，３７の周りに配設したので、両コイル３６，３７が逆方向接続状態とされたとき、両コイル３６，３７を流れる電流によって受信アンテナ３４に生ずる起電力が各コイル３６，３７について互いに逆となるので、受信アンテナ３４に送信アンテナ３３からの雑音が入り難くなる。
【００３７】
ところで、積み上げられた皿１の枚数が少ない場合には、手持式リーダライタ本体１２を皿１の横に保持して読み取るようにしても良いが、皿１の上に保持して読み取るようにしても良い。ただ、送信アンテナ３３は隣接する２個のコイル３６，３７から構成されているので、逆方向接続状態では、皿１の上から電波を放射すると、各コイル３６，３７の磁力線によって皿１のアンテナ用コイル３に発生する起電力が逆となり、動作電源が得られなくなるので、必ず順方向接続状態にしなければならない。また、積み重ねられた皿１の横から読み込む場合には、順方向接続状態では皿１のアンテナ用コイル３と鎖交する磁力線が発生しないので、必ず逆方向接続としなければならない。
【００３８】
本発明の第２実施例を示す図１０はこのような場合に対処しようとしたものである。
すなわち、キースイッチ１６群中には上読み取りスイッチと横読み取りスイッチが設けられている。そして、皿１の上から読み取る場合、まず、上読み取りスイッチを操作して順方向接続状態となるようにする。すると、ＭＰＵ２４は上読み取りスイッチがオンか否かを判断するステップＳＡ１で「ＹＥＳ」となり、駆動部４０を介してリレー３６，３７を切り換え動作させ（ステップＳＡ２）、両コイル３６，３７を順方向接続状態とする。そして、ＭＰＵ２４は前述したと同様にして皿１のＩＤタグ２と通信し（ステップＳＡ５）、エンドとなる。
【００３９】
また、皿１の横から読み取る場合、横読み取りスイッチを操作する。すると、ＭＰＵ２４は上読み取りスイッチがオンか否かを判断するステップＳＡ１で「ＮＯ」、横読み取りスイッチがオンか否かを判断するステップＳＡ３で「ＹＥＳ」となり、駆動部４０を介してリレー３８，３９を切り換え動作させ、両コイル３６，３７を逆方向接続状態とする（ステップＳＡ４）。そして、ＭＰＵ２４は皿１のＩＤタグ２と通信し（ステップＳＡ５）、エンドとなる。
【００４０】
この場合、図１１に示す本発明の第３実施例のように、順方向接続と逆方向接続とを自動的に切り換えるように構成しても良い。すなわち、読み取りスイッチがオンされると、ＭＰＵ２４はステップＳＢ１で「ＹＥＳ」となり、両コイル３６，３７を逆方向接続状態にする（ステップＳＢ２）。そして、皿１のＩＤタグ２との通信処理を行う（ステップＳＢ３）。
【００４１】
この後、ＭＰＵ２４は正常に読み取れたか否かを判断し（ステップＳＢ４）、正常に通信が行われて正常に読み取れた場合には、ステップＳＢ４で「ＹＥＳ」となり、エンドとなる。また、正常に読み取りがなされなかった場合には、ステップＳＢ４で「ＮＯ」となり、次のステップＳＢ５で順方向接続状態にセットする。そして、皿１のＩＤタグ２との通信処理を行い（ステップＳＢ６）、その後、正常に読み取れたか否かを判断し（ステップＳＢ７）、正常に読み取れた場合にはステップＳＢ７で「ＹＥＳ」となり、エンドとなる。また、正常に読み取れた場合には、ステップＳＢ７で「ＮＯ」となり、再び前記ステップＳＢ２に戻って上述のような動作を行う。
【００４２】
なお、本発明は上記し且つ図面に示す実施例に限定されるものではなく、次のような拡張或いは変更が可能である。
第１実施例において、両コイル３６，３７の順方向接続と逆方向接続との切り換えは、手動で行うようにしても良い。
読み取り対象物としては、回転すし店の皿１のように、上下に重ねられる商品に付されたＩＤタグ２に限らずものに、衣類、装身具など横方向に並べられる事情のある商品に付されたＩＤタグであっても良い。
【図面の簡単な説明】
【図１】本発明の第１実施例を示す手持式リーダライタの正面図
【図２】手持式リーダライタの電気的構成を示すブロック図
【図３】主制御部の構成を示すブロック図
【図４】リモート制御部の構成を示すブロック図
【図５】送信アンテナの２個のコイルの接続状態を示す図
【図６】皿の斜視図
【図７】皿のＩＤタグの電気的構成を示すブロック図
【図８】集計処理を行う場合の状態を示す斜視図
【図９】集計処理の制御内容を示すフローチャート
【図１０】本発明の第２実施例を示す図９相当図
【図１１】本発明の第３実施例を示す図９相当図
【符号の説明】
図中、１は皿、２はＩＤタグ、３はアンテナ用コイル、１２は手持式リーダライタ、１３は操作部（手持ち部）、１４は頭部、１７は主制御部、１８はリモート制御部、３３は送信アンテナ、３６，３７は第１，第２のコイル、３７，３８は第１，第２のリレーである。
【図１】
0003975583.tif 000002
【図２】
0003975583.tif 000003
【図３】
0003975583.tif 000004
【図４】
0003975583.tif 000005
【図５】
0003975583.tif 000006
【図６】
0003975583.tif 000007
【図７】
0003975583.tif 000008
【図８】
0003975583.tif 000009
【図９】
0003975583.tif 000010
【図１０】
0003975583.tif 000011
【図１１】
0003975583.tif 000012